(57)【要約】【課題】Ｕ型水路の内面をライニング板で被覆して補修する水路の補修方法において、補修現場での作業工程を少なくするとともに、水路の寸法誤差にも容易に対応できるようにする。【解決手段】補修現場での補修作業の前に、側面用ライニング板３ｂとハンチ用ライニング板３ｃとを一体化してライニング板ユニットＵ２を製作しておき、補修作業の際には、底面用ライニング板３ａとライニング板ユニットＵ２とを一部重なる状態で水路内面１にアンカー止めするようにした。これにより、各ライニング板を１枚ずつアンカー止めする従来の補修方法に比べて、ライニング板のアンカー止め工程を減らせるし、寸法誤差が大きい水路に対しても、ライニング板ユニットＵ２と底面用ライニング板３ａの重ね合わせ位置の調整等によってその寸法誤差を吸収することができる。【選択図】図１
2020045648.tif 000002
【特許請求の範囲】
【請求項１】
内面が底面部と、側面部と、底面部の幅方向端から斜め上方に延びて側面部の下端に至るハンチ部とからなる水路に対して、その内面の底面部、側面部およびハンチ部をそれぞれ底面用ライニング板、側面用ライニング板およびハンチ用ライニング板で被覆して補修する水路の補修方法において、
前記水路の補修現場での補修作業に先立って、前記側面用ライニング板とハンチ用ライニング板とを一体化したライニング板ユニットを製作しておき、
前記補修作業の際には、前記底面用ライニング板と前記ライニング板ユニットを、前記水路の内面の底面部とハンチ部の境界付近で互いに重なる状態で水路の内面に沿うように配置して、前記底面用ライニング板および前記ライニング板ユニットをそれぞれ水路の内面にアンカー止めすることを特徴とする水路の補修方法。
【請求項２】
前記底面用ライニング板とライニング板ユニットの重なり合う部位を水路の内面にアンカー止めすることを特徴とする請求項１に記載の水路の補修方法。
【請求項３】
前記底面用ライニング板とライニング板ユニットの重なり合う部位のうち、少なくとも前記水路の内面と対向する側に配される部位のアンカー孔は、前記底面用ライニング板およびライニング板ユニットを水路内に配置した後に開けるようにしたことを特徴とする請求項２に記載の水路の補修方法。
【請求項４】
前記水路の内面の側面部が上方に向かって幅方向外側へ傾斜している場合、前記底面用ライニング板と前記ライニング板ユニットを水路の内面に沿うように配置した後、前記底面用ライニング板とライニング板ユニットの重なり合った部位に生じる楔状の隙間に目地材を充填することを特徴とする請求項１乃至３のいずれかに記載の水路の補修方法。
【請求項５】
前記水路の補修現場での補修作業に先立って、前記底面用ライニング板および前記側面用ライニング板の前記水路の内面と対向する面に緩衝材を取り付けておくことを特徴とする請求項１乃至４のいずれかに記載の水路の補修方法。
【請求項６】
請求項１乃至５のいずれかに記載の水路の補修方法に使用されるライニング板ユニットであって、前記側面用ライニング板とハンチ用ライニング板とが一体化されたライニング板ユニット。
【発明の詳細な説明】
【技術分野】
【０００１】
本発明は、コンクリート等で形成されたＵ型水路の内面の補修方法と、それに用いられる複数のライニング板を一体化したライニング板ユニットに関する。
【背景技術】
【０００２】
近年、老朽化したコンクリート製水路の内面を補修する要望が多くなっている。そのコンクリート製水路の一つであるＵ型水路の補修方法として、例えば、本出願人が「ＱＰ２工法」と称するものがある。
【０００３】
上記ＱＰ２工法は、図９および図１０に示すように、内面１が底面部１ａと、側面部１ｂと、底面部１ａの幅方向端から斜め上方に延びて側面部１ｂの下端に至るハンチ部１ｃとからなるＵ型水路（例えば、特許文献１参照）Ｗに対し、その内面１を繊維強化プラスチックモルタル複合材（ＦＲＰＭ板）等からなる底面用ライニング板３ａ、側面用ライニング板３ｂおよびハンチ用ライニング板３ｃと、各ライニング板３ａ、３ｂ、３ｃの裏込材である緩衝材４とで被覆して補修するものである。
【０００４】
その具体的な作業手順は、まず、水路Ｗの内面１（以下、「水路内面１」とも称する。）を高圧ジェット洗浄機により洗浄し、洗浄した内面１に墨出しを行う。このとき、水路内面１のうち、浸透水がある部位には止水作業を行い、不陸が大きい部位はモルタル等の充填や切削除去等によって平坦となるように補修する。
【０００５】
その後、水路Ｗの内面１に緩衝材４をコンクリート釘や粘着テープ等で仮固定するとともに、各ライニング板３ａ、３ｂ、３ｃのアンカー孔位置に合わせて水路内面１に穿孔した後、底面用ライニング板３ａ、ハンチ用ライニング板３ｃ、側面用ライニング板３ｂの順で、各ライニング板３ａ、３ｂ、３ｃを金属拡張式アンカー５により水路内面１に固定（アンカー止め）する。最後に、各ライニング板３ａ、３ｂ、３ｃの継ぎ目部、側面用ライニング板３ｂの上端部と水路内面１の側面部１ｂとの間等に目地材（シーリング材）６を充填して止水する。
【０００６】
この補修方法（ＱＰ２工法）を適用したコンクリート製Ｕ型水路では、コンクリートで形成された内面１が平滑なＦＲＰＭ板等のライニング板３ａ、３ｂ、３ｃで被覆されることにより、水理特性が向上して流水が円滑となり、水路の単位断面積あたりの流量が増加する。そのため、水路内面１をライニング板３ａ、３ｂ、３ｃで被覆することによって水路の断面積が減少しても、補修前とほぼ同等の流量が確保できる。
【先行技術文献】
【特許文献】
【０００７】
【特許文献１】特開２００５−５４４７４号公報（図２、図８〜図１０）
【発明の概要】
【発明が解決しようとする課題】
【０００８】
ところで、水路の補修を行う際には、その水路が供用中で断水時間を制限される場合が多いため、現場での施工の簡略化が望まれている。特に、上記のコンクリート製Ｕ型水路を対象としたＱＰ２工法では、ライニング板どうしの隙間の調整等、補修現場での作業工程が多く、施工の簡略化の要望が強い。
【０００９】
これに対し、本出願人は、図１１に示すように、水路Ｗの補修現場での補修作業に先立って、工場等で底面用ライニング板３ａを幅方向で２つのライニング板片３ａ１、３ａ２に分割し、そのライニング板片３ａ１、３ａ２をそれぞれ側面用ライニング板３ｂおよびハンチ用ライニング板３ｃと一体化したユニットＵを製作しておき、補修現場では、各ユニットＵを水路内面１にアンカー止めするとともに、そのライニング板片３ａ１、３ａ２どうしの間に目地材６を充填する補修方法を考案した。なお、ユニットＵ製作時に、その底面用ライニング板３ａおよび側面用ライニング板３ｂの水路内面１と対向する面（以下、「外側面」と称する。）に緩衝材４を取り付けておくことにより、補修現場での緩衝材の水路内面への取付作業をなくすことができる。
【００１０】
上述した補修方法では、補修現場において、ライニング板３ａ、３ｂ、３ｃどうしの隙間の調整が不要なため、前述のＱＰ２工法に比べると、作業工程が少なく効率よく補修作業を行うことができる。
【００１１】
しかしながら、寸法誤差が大きくなりやすい現場打ち水路（現場でのコンクリート打ちによってフリュームを形成した水路）等において、図１２に示すように、水路幅が設計値よりも狭い場合に、各ユニットＵのライニング板片３ａ１、３ａ２どうしが干渉して一方のユニットＵの取り付けができなくなったり、図１３に示すように、水路幅が設計値よりも広い場合に、各ユニットＵのライニング板片３ａ１、３ａ２どうしの隙間が目地材６で吸収できなくなったりするおそれがある。また、図１４に示すように、水路内面１の側面部１ｂが上方に向かって幅方向外側へ傾斜している（倒れ込んでいる）場合には、その側面部１ｂとユニットＵの側面用ライニング板３ｂとの間に大きな隙間が生じ、目地材６で吸収できなくなるおそれが大きくなる。
【００１２】
そこで、本発明は、Ｕ型水路の内面をライニング板で被覆して補修する水路の補修方法において、補修現場での作業工程を少なくするとともに、水路の寸法誤差にも容易に対応できるようにすることを課題とする。
【課題を解決するための手段】
【００１３】
上記課題を解決するために、本発明は、内面が底面部と、側面部と、底面部の幅方向端から斜め上方に延びて側面部の下端に至るハンチ部とからなる水路に対して、その内面の底面部、側面部およびハンチ部をそれぞれ底面用ライニング板、側面用ライニング板およびハンチ用ライニング板で被覆して補修する水路の補修方法において、前記水路の補修現場での補修作業に先立って、前記側面用ライニング板とハンチ用ライニング板とを一体化したライニング板ユニットを製作しておき、前記補修作業の際には、前記底面用ライニング板と前記ライニング板ユニットを、前記水路の内面の底面部とハンチ部の境界付近で互いに重なる状態で水路の内面に沿うように配置して、前記底面用ライニング板および前記ライニング板ユニットをそれぞれ水路の内面にアンカー止めするようにしたのである。
【００１４】
このようにすれば、補修現場において、各ライニング板を１枚ずつ水路内面にアンカー止めする方法よりも作業工程を少なくできるし、現場打ち水路等で寸法誤差が大きい場合でも、ライニング板ユニットと底面用ライニング板の重ね合わせ位置の調整等により、その水路の寸法誤差を吸収することができる。
【００１５】
前記補修作業におけるアンカー止めの際には、前記底面用ライニング板とライニング板ユニットの重なり合う部位も水路の内面にアンカー止めすることが望ましい。このとき、前記底面用ライニング板とライニング板ユニットの重なり合う部位のうち、少なくとも前記水路の内面と対向する側に配される部位のアンカー孔は、前記底面用ライニング板およびライニング板ユニットを水路内に配置した後に開けるようにすれば、底面用ライニング板とライニング板ユニットの重ね合わせ位置を調整する際に、予め開けておいたアンカー孔が使えなくなってその加工手間が無駄になるのを避けることができる。
【００１６】
また、前記水路の内面の側面部が上方に向かって幅方向外側へ傾斜している場合、前記底面用ライニング板と前記ライニング板ユニットを水路の内面に沿うように配置した後、前記底面用ライニング板とライニング板ユニットの重なり合った部位に生じる楔状の隙間に目地材を充填するとよい。
【００１７】
また、前記水路の補修現場での補修作業に先立って、前記底面用ライニング板および前記側面用ライニング板の前記水路の内面と対向する面に緩衝材を取り付けておけば、補修現場において水路内面に緩衝材を取り付ける工程もなくすことができる。
【００１８】
そして、本発明のライニング板ユニットは、上記構成の水路の補修方法に使用されるものであって、前記側面用ライニング板とハンチ用ライニング板とが一体化されたものである。
【発明の効果】
【００１９】
本発明の水路の補修方法は、上述したように、予め側面用ライニング板とハンチ用ライニング板とを一体化してライニング板ユニットを製作しておき、そのライニング板ユニットと底面用ライニング板とを一部重なる状態で水路内面にアンカー止めするものであるから、各ライニング板を１枚ずつアンカー止めする従来の補修方法に比べて、補修現場での作業工程を少なくして作業時間を短縮することができるし、寸法誤差が大きい水路に対しても、その寸法誤差を吸収して確実に補修を行うことができる。
【００２０】
また、上記の水路の補修方法に使用されるライニング板ユニットは、工場等で製作して単独で販売することもできる。
【図面の簡単な説明】
【００２１】
【図１】第１実施形態の水路の補修方法の概略説明図
【図２】図１のライニング板ユニットの分解斜視図
【図３】図１のライニング板ユニットのアンカー止め作業の説明図
【図４】図１の補修方法が完了した水路の状態を示す説明図
【図５】図１の補修方法において水路幅が広い場合の対応方法を示す説明図
【図６】図１の補修方法において水路内面の側面部が倒れ込んでいる場合の対応方法を示す説明図
【図７】ライニング板ユニットの変形例を示す分解斜視図
【図８】第２実施形態の補修方法が完了した水路の状態を示す説明図
【図９】従来の水路の補修方法の概略説明図
【図１０】図９の補修方法が完了した水路の状態を示す説明図
【図１１】従来の別の水路の補修方法の概略説明図
【図１２】図１１の補修方法で水路幅が狭い場合を示す説明図
【図１３】図１１の補修方法で水路幅が広い場合を示す説明図
【図１４】図１１の補修方法で水路内面の側面部が倒れ込んでいる場合を示す説明図
【発明を実施するための形態】
【００２２】
以下、図面に基づき、本発明の実施形態を説明する。図１乃至図６は第１実施形態を示す。この実施形態の補修方法が適用される水路Ｗは、図１に示すように、従来の補修方法で説明したものと同じく、その内面１が底面部１ａと、側面部１ｂと、底面部１ａの幅方向端から斜め上方に延びて側面部１ｂの下端に至るハンチ部１ｃとからなるコンクリート製のＵ型水路であり、地盤Ｇを開削した溝の内側に構築されている。そして、その内面１の底面部１ａ、側面部１ｂおよびハンチ部１ｃが、それぞれ底面用ライニング板３ａ、側面用ライニング板３ｂおよびハンチ用ライニング板３ｃで被覆されて補修されるようになっている。その底面用ライニング板３ａおよび側面用ライニング板３ｂには、裏込材である緩衝材４が取り付けられている。
【００２３】
前記底面用ライニング板３ａおよび側面用ライニング板３ｂは、繊維強化プラスチックモルタル複合材（ＦＲＰＭ板）が用いられている。ＦＲＰＭ板は、未硬化の樹脂セメント板等の両面または片面に未硬化の繊維強化プラスチック材（ＦＲＰ板）を取り付けて一体成形したものである。一方、前記ハンチ用ライニング板３ｃは、引き抜き成形で製作したＦＲＰ板を用い、その引き抜き金型の形状を変更することによって水路断面形状に応じた種々の形状に成形できるようにしている。なお、底面用ライニング板３ａおよび側面用ライニング板３ｂにも、ＦＲＰ板を単独で使用することもできる。
【００２４】
前記緩衝材４は、平板状に形成された発泡成形体である。予め所定の形状に成形した発泡成形体を用いることにより、緩衝材４自体が低温での施工中に凍結する問題を回避することができる。その材料としては、例えば、発泡エチレン・プロピレンゴムや発泡ポリブタジエンゴム等の発泡ゴムや、発泡ポリスチレン、発泡ポリエチレン、発泡ポリプロピレン、発泡ウレタン等の発泡プラスチック系のものが用いられる。また、これらと同等の弾性特性を有する材料であれば広く用いることができる。
【００２５】
この実施形態の補修方法では、水路Ｗの補修現場での補修作業に先立って、補修現場以外の工場等で、前記側面用ライニング板３ｂとハンチ用ライニング板３ｃとを一体化したライニング板ユニットＵ２を製作しておく。
【００２６】
ライニング板ユニットＵ２は、図２に示すように、矩形板状の側面用ライニング板３ｂの下側縁部にハンチ用ライニング板３ｃを接続したもので、側面用ライニング板３ｂの水路内面１と対向する面（外側面）には緩衝材４が取り付けられている。なお、側面用ライニング板３ｂとハンチ用ライニング板３ｃは、その間に目地剤を挟む状態で接続するようにしてもよい。また、図示は省略するが、底面用ライニング板３ａの外側面にも緩衝材４が取り付けられている。その緩衝材４は、後述するように補修現場で底面用ライニング板３ａおよびライニング板ユニットＵ２をアンカー止めする際に水路内面１に圧着されるので、底面用ライニング板３ａや側面用ライニング板３ｂとの接着性は問題とならない。
【００２７】
ハンチ用ライニング板３ｃは、両側縁部が中央部に対して約４５°の角度で延びるように形成されており、その上側縁部が側面用ライニング板３ｂの下側縁部の内側面（外側面と反対側の面）にボルト止めされる。そのボルト７を通すボルト孔８のうち、側面用ライニング板３ｂのボルト孔８は板幅方向（上下方向）に長い長孔とされ、側面用ライニング板３ｂへのハンチ用ライニング板３ｃの接続位置を上下方向に調整できるようになっている。なお、この図２の例と逆に、ハンチ用ライニング板３ｃのボルト孔８の方を長孔としてもよい。両ライニング板３ｂ、３ｃの接続位置の上下方向調整が不要の場合は、各ボルト孔をビス孔に変えて、皿ビス等で両ライニング板３ｂ、３ｃを接続することもできる。
【００２８】
また、側面用ライニング板３ｂおよびハンチ用ライニング板３ｃには、それぞれ適宜の位置にアンカー止め用のアンカー孔９が予め開けられており、図示省略した底面用ライニング板３ａにも、同様に適宜の位置にアンカー孔が予め開けられている。ただし、底面用ライニング板３ａの両側部のアンカー孔は、後述するように補修現場で開けるようにしている。
【００２９】
補修現場での補修作業は、まず、従来と同様に、水路Ｗの内面１を高圧ジェット洗浄機により洗浄し、その洗浄した水路内面１に墨出しを行う。このとき、水路内面１のうち、浸透水がある部位には止水作業を行い、不陸が大きい部位は平坦となるように補修する。
【００３０】
次に、底面用ライニング板３ａおよびライニング板ユニットＵ２のアンカー止めを以下の手順で行う。最初に、底面用ライニング板３ａを裏込材である緩衝材４とともに水路内面１の底面部１ａ上に配置し、底面用ライニング板３ａに予め開けられたアンカー孔９の位置から水路内面１の底面部１ａに穿孔した後、底面用ライニング板３ａと緩衝材４を金属拡張式アンカー５で水路内面１の底面部１ａに固定する。
【００３１】
続いて、ライニング板ユニットＵ２を、その側面用ライニング板３ｂが水路内面１の側面部１ｂに当接する状態で、ハンチ用ライニング板３ｃの下側縁部が底面用ライニング板３ａの側部に重なるまで下降させ、図３に示すように、ロータリーハンマードリル等を用いて、ハンチ用ライニング板３ｃの下側縁部のアンカー孔９の位置から底面用ライニング板３ａおよび水路内面１の底面部１ａにアンカー孔９およびアンカー穴１０を開ける。そして、互いに重なり合っているハンチ用ライニング板３ｃの下側縁部と底面用ライニング板３ａの側部を、底面用ライニング板３ａの外側面の緩衝材４とともに水路内面１の底面部１ａにアンカー５で固定する。その後、側面用ライニング板３ｂおよびハンチ用ライニング板３ｃを、それぞれ水路内面１の側面部１ｂおよびハンチ部１ｃにアンカー５で固定する。なお、アンカー止めの順序は適宜変更することができる。
【００３２】
上記のライニング板ユニットＵ２の水路内面１へのアンカー止めを水路Ｗの幅方向両側で行った後、各側面用ライニング板３ｂの上端部と水路内面１の側面部１ｂとの間に目地材６を充填する。また、図示は省略するが、必要に応じて、各ハンチ用ライニング板３ｃの下側縁部と底面用ライニング板３ａとの間にも目地材６を充填する。これにより、図４に示すように、水路Ｗの長さ方向の１箇所の補修作業が完了する。
【００３３】
以上の補修作業を水路Ｗの長さ方向に順々に行って、水路Ｗの所要長さの内面１をライニングする。そして、水路Ｗの長さ方向に並ぶ底面用ライニング板３ａどうしの間およびライニング板ユニットＵ２どうしの間には、目地材６の充填を行う。
【００３４】
この水路の補修方法では、上述したように、補修現場での補修作業の前に、工場等で側面用ライニング板３ｂとハンチ用ライニング板３ｃとを一体化してライニング板ユニットＵ２を製作し、緩衝材４を底面用ライニング板３ａおよび側面用ライニング板３ｂに取り付けておき、補修現場では底面用ライニング板３ａとライニング板ユニットＵ２をそれぞれ緩衝材４とともに水路内面１にアンカー止めするので、水路内面に緩衝材を取り付けて各ライニング板を１枚ずつアンカー止めする従来の補修方法に比べて、補修現場での緩衝材の取付作業がなく、ライニング板のアンカー止め工程および目地材の充填箇所が少ない分、作業効率を向上させることができる。このため、供用されている水路の補修であっても、その断水時間を短くすることができる。
【００３５】
しかも、ライニング板ユニットＵ２と底面用ライニング板３ａは、一部が互いに重なる状態でアンカー止めするようにしたので、その重ね合わせ位置の調整等により、現場打ち水路等で寸法誤差が大きい場合でも、その水路の寸法誤差を吸収して確実に補修を行うことができる。
【００３６】
すなわち、例えば、図５に示すように、水路Ｗの幅寸法が設計値よりも広い場合は、ライニング板ユニットＵ２と底面用ライニング板３ａの重ね合わせ位置を設計時よりも幅方向外側へずらした状態で、ライニング板ユニットＵ２を水路内面１にアンカー止めすればよい。また、図示は省略するが、水路Ｗの幅寸法が設計値よりも狭い場合は、ライニング板ユニットＵ２と底面用ライニング板３ａの重ね合わせ位置を図５の例と逆に幅方向内側へずらして、ライニング板ユニットＵ２のアンカー止めを行えばよい。
【００３７】
なお、底面用ライニング板３ａの両側部のアンカー孔９は、底面用ライニング板３ａおよびライニング板ユニットＵ２を水路Ｗ内に配置した後に開けるようにしているので、上記のようにライニング板ユニットＵ２と底面用ライニング板３ａの重ね合わせ位置を調整する際に、予め開けておいたアンカー孔が使えなくなってその加工手間が無駄になるということがない。
【００３８】
そして、図６に示すように、水路内面１の側面部１ｂが倒れ込んでいる場合でも、ライニング板ユニットＵ２をその側面用ライニング板３ｂが水路内面１の側面部１ｂに沿う状態でアンカー止めすることにより対応できる。このとき、ハンチ用ライニング板３ｃと底面用ライニング板３ａとの間にわずかな楔状の隙間が生じるが、この隙間は目地材６の充填によって確実に塞ぐことができる。
【００３９】
また、図４乃至図６に示したように、ハンチ用ライニング板３ｃは水路内面１のハンチ部１ｃとの間に隙間をおいた状態で配置されるので、ハンチ部１ｃの傾斜角度が設計値から外れていても、そのハンチ部１ｃの施工誤差を吸収してライニング板ユニットＵ２をアンカー止めすることができる。なお、ハンチ用ライニング板３ｃと水路内面１のハンチ部１ｃとの間の間隙は、現地の測量結果や施工実績における経験則から考えられる誤差を吸収できるように適宜に設定する。ただし、その両者の間隙は、流路断面積の減少を抑えるため、両者が干渉しない限りにおいて小さいことが好ましい。
【００４０】
なお、この第１実施形態では、補修現場での補修作業において、水路Ｗ内に底面用ライニング板３ａを配置した後、ライニング板ユニットＵ２をそのハンチ用ライニング板３ｃの下側縁部が底面用ライニング板３ａの側部の内側面に重なるようにしたが、その底面用ライニング板とライニング板ユニットの配置の順を逆にして、ハンチ用ライニング板の下側縁部の内側面に底面用ライニング板の側部が重なるようにすることもできる。その場合は、予め底面用ライニング板の両側部にアンカー孔を開けておき、ハンチ用ライニング板の下側縁部のアンカー孔は補修現場で開けるようにするとよい。
【００４１】
図７はライニング板ユニットＵ２の変形例を示す。この変形例は、ハンチ用ライニング板３ｃの上側縁部を、側面用ライニング板３ｂの下側縁部の外側面に接する状態でボルト止めするようにしたものである。この場合、ハンチ用ライニング板３ｃの上側縁部が緩衝材４と干渉するが、その干渉は緩衝材４の収縮によって吸収される。なお、その干渉が生じる部分の緩衝材４を予め切除することもできる。緩衝材４が硬めのものであれば、その切除をしておくことが好ましい。
【００４２】
また、この変形例のライニング板ユニットＵ２は、図２の例と異なり、ハンチ用ライニング板３ｃの中央部にアンカー孔９が開けられていない（中央部をアンカー止めしない）仕様となっている。これは、補修作業完了後のハンチ用ライニング板３ｃは、その外側面から水圧がかかっても、下側縁部がアンカー止めされており、上側縁部が側面用ライニング板３ｂに押し付けられるため、側面用ライニング板３ｂから外れるおそれが少ないからである。
【００４３】
図８は第２実施形態の補修方法が完了した水路Ｗを示す。この実施形態は、第１実施形態をベースとして、その底面用ライニング板３ａを幅方向で２つのライニング板片３ａ１、３ａ２に分割し、補修現場での補修作業の際に、両ライニング板片３ａ１、３ａ２を幅方向で突き合わせる状態でそれぞれ水路内面１の底面部１ａにアンカー止めし、両ライニング板片３ａ１、３ａ２の隙間に目地材６を充填したものであり、水路内面１の底面部１ａの幅が広い場合等に対応しやすい。なお、底面用ライニング板は３つ以上のライニング板片に分割することもできる。
【００４４】
今回開示された実施の形態はすべての点で例示であって制限的なものではないと考えられるべきである。本発明の範囲は、特許請求の範囲によって示され、特許請求の範囲と均等の意味および範囲内でのすべての変更が含まれることが意図される。
【００４５】
例えば、上述した各実施形態では、ハンチ用ライニング板３ｃは、水路内面１のハンチ部１ｃとの間に隙間があるため外側面に緩衝材４を取り付けていないが、その間隙が小さい場合等には緩衝材を取り付けてもよい。
【００４６】
また、各実施形態においては、予め緩衝材４を取り付けた底面用ライニング板３ａおよびライニング板ユニットＵ２を水路内面１にアンカー止めしたが、補修現場で水路内面に緩衝材を取り付けた後、底面用ライニング板およびライニング板ユニットのアンカー止めを行うようにすることもできる。
【００４７】
また、緩衝材は、各実施形態のような発泡成形体に代えて、低温においても凍結しにくいモルタル等の流動体のものを用いることもできる。その場合は、補修現場で底面用ライニング板およびライニング板ユニットを水路内面にアンカー止めする際に水路内面との間に隙間を設け、その隙間に流動体の緩衝材を流し込んで固化させる。この工法を採用すれば、水路内面の継ぎ目に大きな隙間や段差が生じていても、その隙間等に流動体の緩衝材が浸入して埋めるので、水路内面と各ライニング板との間が確実に充填される。
【００４８】
そして、本発明は、実施形態のような地盤を開削した溝に埋設された既設水路のほか、置樋型等の種々の態様のコンクリート製Ｕ型既設水路に適用することができる。
【符号の説明】
【００４９】
１  内面
１ａ  底面部
１ｂ  側面部
１ｃ  ハンチ部
３ａ  底面用ライニング板
３ａ１、３ａ２  ライニング板片
３ｂ  側面用ライニング板
３ｃ  ハンチ用ライニング板
４  緩衝材（裏込材）
５  アンカー
６  目地材（シーリング材）
７  ボルト
８  ボルト孔
９  アンカー孔
１０  アンカー穴
Ｇ  地盤
Ｕ２  ライニング板ユニット
Ｗ  水路
【図１】
2020045648.tif 000003
【図２】
2020045648.tif 000004
【図３】
2020045648.tif 000005
【図４】
2020045648.tif 000006
【図５】
2020045648.tif 000007
【図６】
2020045648.tif 000008
【図７】
2020045648.tif 000009
【図８】
2020045648.tif 000010
【図９】
2020045648.tif 000011
【図１０】
2020045648.tif 000012
【図１１】
2020045648.tif 000013
【図１２】
2020045648.tif 000014
【図１３】
2020045648.tif 000015
【図１４】
2020045648.tif 000016